(57)【特許請求の範囲】
【請求項１】
アームヘッドと、前記アームヘッドに対してピボット軸周りで回動可能に連結されたアーム本体と、前記アームヘッドと前記アーム本体の間に設けられた付勢手段とを備えたワイパーアームにおいて、
前記付勢手段は、スプリングと、前記スプリングと並列に配置された支点支持部材と、支点と力点と作用点とを有する梃子部材とを備え、
前記支点支持部材の第１端は、前記スプリングの第１の端部に連係されるとともに、前記アームヘッド及び前記アーム本体の一方に連係され、
前記梃子部材の支点は、前記支点支持部材の第２端に連係され、
前記梃子部材の作用点は、前記アームヘッド及び前記アーム本体の他方に連係され、
前記梃子部材の力点は、前記スプリングの第２の端部に連係されているワイパーアーム。
【請求項２】
前記付勢手段は、前記スプリングの両側に配置された一対の前記支点支持部材を備えた請求項１に記載のワイパーアーム。
【請求項３】
前記一対の支点支持部材の第１端同士を連結する第１の連結部材と、前記一対の支点支持部材の第２端同士を連結する第２の連結部材とを備え、前記第１の連結部材は、前記アームヘッド及び前記アーム本体の一方に対して取り付けられ、前記スプリングの第１の端部は、前記第１の連結部材に取り付けられ、前記梃子部材は、前記第２の連結部材に対して、前記支点の回りで回動可能に取り付けられている請求項２に記載のワイパーアーム。
【請求項４】
前記第１及び第２の連結部材は、リベットである請求項３に記載のワイパーアーム。
【請求項５】
前記梃子部材の作用点と前記アームヘッド及び前記アーム本体の他方を連係するローラーピンを備えた請求項１から請求項４のいずれか１項に記載のワイパーアーム。
【請求項６】
前記スプリングの第２の端部は、前記梃子部材の力点に対して取り付けられるフック部であり、前記フック部は、前記アーム本体の上面に対してほぼ平行に配置されるように形成されている請求項１から請求項５のいずれか１項に記載のワイパーアーム。
【発明の詳細な説明】
【技術分野】
【０００１】
本発明は、被払拭面にワイパーブレードを押し付ける力を発生させるための付勢手段（テンションスプリング）を備えたワイパーアームに関する。
【背景技術】
【０００２】
ワイパー装置は、一般に、自動車のガラス面等の被払拭面を払拭するワイパーブレードと、ワイパーブレードを保持するワイパーアームと、ワイパーアームを駆動する駆動手段（駆動モータ）とから構成されている。ワイパーアームは、駆動手段に対して連係されるアームヘッドと、アームヘッドに対して回動可能に連結されたアーム本体を備え、アーム本体でワイパーアームを保持するようになっている。
【０００３】
図１０には、このような従来のワイパーアームの一部を断面図で示す。図示されるように、ワイパーアーム１０１は、アームヘッド１０２と、アームヘッド１０２に対してピボット軸１０３を介して回動可能に連結されたリテーナ１０４とを備えている。ここで、リテーナ１０４は、アーム本体の一部を構成する部材である。
【０００４】
アームヘッド１０２とリテーナ１０４の間には、引っ張りコイルばねであるスプリング１０５が備えられている。スプリング１０５の先端側フック部１０５Ａは、固定ピン１０６を介してリテーナ１０４に対して取り付けられている。一方、スプリング１０５の基端側フック部１０５Ｂは、フック部材１０７及び固定ピン１０８を介してアームヘッド１０２に対して取り付けられている。
【０００５】
このような構成により、スプリング１０５は、アームヘッド１０２に対するリテーナ１０４の回動動作に対して、付勢力を付与するように機能する。具体的には、図１０に示すように、ワイパーアーム１０１が通常使用状態（リテーナ１０４がアームヘッド１０２からほぼ真っすぐに延び出した位置に配置された状態）にあるとき、スプリング１０５は、リテーナ１０４に対して、図の反時計回り回転方向に回動させる力を与える。これにより、アーム本体に保持されたワイパーブレード（図示せず）は、適度な押し付け力で、被払拭面（図示せず）に押し付けられるようになっている。一方、ワイパーアーム１０１がロックバック状態（アームヘッド１０２に対してリテーナ１０４が図の時計回り回転方向に回動して起立した状態）にあるとき、スプリング１０５は、リテーナ１０４を図の時計回り回転方向に付勢し、リテーナ１０４を起立状態に保持するようになっている。
【先行技術文献】
【特許文献】
【０００６】
【特許文献１】特開２００９−０４５９７１号
【特許文献２】特開２００８−５６０５１号
【発明の概要】
【発明が解決しようとする課題】
【０００７】
このように、ワイパーアーム１０１は、スプリング１０５のバネ力により、ワイパーブレードを被払拭面に押し付ける押し付け力を発生させるものである。したがって、十分な押し付け力を得るためには、スプリング１０５は、それに応じた強いバネ力を発生させるものである必要があり、結果として、ある程度以上の大きさ（径）を持つスプリングを用いる必要がある。このため、スプリング１０５を配置するために、大きなスペースが必要となってしまい、その分、ワイパーアーム１０１の厚みを増大させてしまうという問題点があった。
【０００８】
また、ワイパーアーム１０１においては、スプリング１０５とワイパーアーム１０２の連結のフック部材１０７が必要であり、このフック部材１０７が、ワイパーアーム１０１の下側からはみ出してしまい、ワイパーアーム１０１の美観を損ねてしまうという問題点もあった。
【０００９】
本発明は、このような問題点に着目してなされたもので、ワイパーブレードを被払拭面に押し付ける押し付け力を発生させるための付勢手段を備えたワイパーアームにおいて、スプリングを小型化でき、結果として、薄型化及び美観向上を図り得るワイパーアームを提供することを目的とする。
【課題を解決するための手段】
【００１０】
本発明は、アームヘッドと、前記アームヘッドに対してピボット軸周りで回動可能に連結されたアーム本体と、前記アームヘッドと前記アーム本体の間に設けられた付勢手段とを備えたワイパーアームにおいて、前記付勢手段は、スプリングと、前記スプリングと並列に配置された支点支持部材と、支点と力点と作用点とを有する梃子部材とを備え、前記支点支持部材の第１端は、前記スプリングの第１の端部に連係されるとともに、前記アームヘッド及び前記アーム本体の一方に連係され、前記梃子部材の支点は、前記支点支持部材の第２端に連係され、前記梃子部材の作用点は、前記アームヘッド及び前記アーム本体の他方に連係され、前記梃子部材の力点は、前記スプリングの第２の端部に連係されている。
【００１１】
前記付勢手段は、前記スプリングの両側に配置された一対の前記支点支持部材を備えてもよい。
【００１２】
前記一対の支点支持部材の第１端同士を連結する第１の連結部材と、前記一対の支点支持部材の第２端同士を連結する第２の連結部材とを備え、前記第１の連結部材は、前記アームヘッド及び前記アーム本体の一方に対して取り付けられ、前記スプリングの第１の端部は、前記第１の連結部材に取り付けられ、前記梃子部材は、前記第２の連結部材に対して、前記支点の回りで回動可能に取り付けられていてもよい。
【００１３】
前記第１及び第２の連結部材は、リベットであってもよい。
【００１４】
前記梃子部材の作用点と前記アームヘッド及び前記アーム本体の他方を連係するローラーピンを備えてもよい。
【００１５】
前記スプリングの第２の端部は、前記梃子部材の力点に対して取り付けられるフック部であり、前記フック部は、前記アーム本体の上面に対してほぼ平行に配置されるように形成されていてもよい。
【発明の効果】
【００１６】
本発明によれば、アームヘッド（例えばアームヘッド２）と、アームヘッドに対してピボット軸（例えばピボット軸３）を介して回動可能に連結されたアーム本体（例えばリテーナ４及びアームヘッド５）と、アームヘッドとアーム本体の間に設けられた付勢手段（例えば付勢機構１０）とを備えたワイパーアーム（例えばワイパーアーム１又は６）において、付勢機構１０に、スプリング（例えばスプリング１１又は２１）と、スプリングと並列に配置された支点支持部材（例えば支点支持部材１２又は２２）と、梃子部材（例えば梃子部材１５又は２５）とを備え、支点支持部材の第１端（例えば先端部１２Ａ又は基端部２２Ｂ）をスプリングの第１の端部（例えば先端側フック部１１Ａ又は基端部２１Ｂ）に連係するとともに、アームヘッド及びアーム本体の一方に連係し、梃子部材の支点（例えば支点穴１５Ｄ又は２５Ｄ）を支点支持部材の第２端（例えば基端部１２Ｂ又は先端部２２Ａ）に連係し、梃子部材の作用点（例えば作用点穴１５Ｆ又は２５Ｆ）をアームヘッド及びアーム本体の他方に連係し、梃子部材の力点（例えば力点穴１５Ｅ又は２５Ｅ）をスプリングの第２の端部（例えば基端側フック部１１Ｂ又は先端側フック部２１Ａ）に連係するようにしたので、スプリングのバネ力は、梃子の原理にしたがって、梃子部材によって増幅（倍力）されて、アームヘッドに対するアーム本体の回動に対して作用する。したがって、バネ力の小さなスプリングであっても、十分に大きな押し付け力（アーム本体に保持されたワイパーブレードを被払拭面に押し付ける力）が得られるので、スプリングを小型化（小径化）することができる。また、従来のワイパーアームにおけるフック部材は不要となる。よって、ワイパーアームにおける付勢手段（スプリング）の収容スペースが削減され、結果として、ワイパーアームの薄型化を達成できる。
【００１７】
また、スプリングの両側に一対の支点支持部材を設け、支点支持部材の第１端を第１の連結部材（例えば中間リベット１３又は基端側リベット２４）で連結し、支点支持部材の第２端を第２の連結部材（例えば支点リベット１４又は２３）で連結し、スプリングの第１の端部を第１の連結部材に取り付け、梃子部材を支点において第２の連結部材に取り付けるようにすれば、付勢機構を堅固な構造を有するユニットとして構成できる。したがって、梃子部材の支点は、支点支持部材により確実に支持されるので、梃子部材による力の適切な倍力及び伝達を行うことができる。また、ユニットである付勢機構のアームヘッド及びアーム本体への取り付けは容易であるので、ワイパーアームの組み立て作業を効率化できる。
【００１８】
また、スプリングの第２の端部を、梃子部材の力点に対して取り付けられるフック部（例えば基端側フック部１１Ｂ又は先端側フック部１１Ａ）とし、フック部がアーム本体の上面（例えばリテーナ４の上面４Ａ）に対してほぼ平行に配置されるように形成すれば、スプリングをアーム本体の上面に近接した位置に配置することが可能となり、ワイパーアームの更なる薄型化が可能となる。
【図面の簡単な説明】
【００１９】
【図１】本発明の第１の実施形態におけるワイパーアームの全体構成を示す側面図であり、通常使用状態にあるワイパーアームを示す。
【図２】同じくワイパーアームの全体構成を示す側断面図であり、通常使用状態にあるワイパーアームを示す。
【図３】同じくワイパーアームの全体構成を示す側面図であり、ロックバック状態にあるワイパーアームを示す。
【図４】同じくワイパーアームの全体構成を示す側断面図であり、ロックバック状態にあるワイパーアームを示す。
【図５】同じくワイパーアームの一部側断面図であり、通常使用状態にあるワイパーアームを示す。
【図６】同じくワイパーアームの一部側断面図であり、ロックバック状態にあるワイパーアームを示す。
【図７】同じく付勢機構を示す斜視図である。
【図８】同じく付勢機構を示す分解斜視図である。
【図９】本発明の第２の実施形態におけるワイパーアームの一部側断面図である。
【図１０】従来のワイパーアームを示す一部側断面図である。
【発明を実施するための形態】
【００２０】
以下、添付図面に基づいて本発明の実施形態について説明する。
図１から図３には、本発明の第１の実施形態におけるワイパーアーム１の全体構成を示す。図示されるように、ワイパーアーム１は、アームヘッド２と、アームヘッド２に対してピボット軸３を介して回動可能に連結されたリテーナ４と、リテーナ４に保持されたアームピース５とを備えている。本実施形態においては、リテーナ４とアームピース５が、アーム本体を構成している。
【００２１】
アームヘッド２は、略円柱形の基端部２Ａと、基端部２Ａから先端側に延び出す腕部２Ｂとを備えている。基端部２Ａには、上下方向に貫通した連結穴２Ｃが形成されている。この連結穴２Ｃに、駆動手段の駆動軸（図示せず）が嵌合することにより、ワイパーアーム１が駆動手段により駆動されるようになっている。また、腕部２Ａの先端部２Ｄに隣接した所定位置には、腕部２Ａを左右方向に貫通するピボット軸穴２Ｅが形成されている。更に、腕部２Ａの先端部２Ｄには、ローラーピン穴２Ｆが形成されている（図８参照）。
【００２２】
リテーナ４は、ワイパーアーム１の長手方向の中央部分を構成する部材であり、天面４Ａと、天面４Ａの両側部から下方に延び出す両側の側面４Ｂとを備えている。リテーナ４の天面４Ａと両側側面４Ｂで囲まれた空間内には、付勢機構１０が収容されている。付勢機構１０の詳細な構成は、後述する。
【００２３】
リテーナ４の各側面４Ｂの基端部４Ｃには、それぞれ、ピボット軸穴４Ｄが形成されている。ピボット軸３は、リテーナ４のピボット軸穴４Ｄとアームヘッド２のピボット軸穴２Ｅを貫通して装着される。この結果、リテーナ４が、アームヘッド２に対して、ピボット軸３の回りで回動可能に連結されるようになっている。
【００２４】
リテーナ４の各側面４Ｂの所定箇所には、それぞれリベット穴４Ｅが形成されている。詳しくは後述するように、このリベット穴４Ｅには、付勢機構１０の中間リベット１３が固定されるようになっている。
【００２５】
リテーナ４の先端部４Ｆには、アームピース５が装着されている。アームピース５は、その先端部分に、Ｕ字型に湾曲したＵフック部５Ａを備えており、このフック部５Ａにおいて、図示されないワイパーブレードを保持するようになっている。
【００２６】
このような構成により、ワイパーアーム１は、アームヘッド２に対するリテーナ４の回動により、アーム本体（リテーナ４及びアームピース５）がアームヘッド２から長手方向にほぼ真っ直ぐに延び出した通常使用状態（図１及び図２に示す状態）と、アーム本体がアームヘッド２に対して起立したロックバック状態（図３及び図４に示す状態）を、選択的にとり得るようになっている。
【００２７】
図５から図８には、付勢機構１０を詳細に示す。図示されるように、付勢機構１０は、スプリング１１と、スプリング１１の両側に配置された一対の支点支持部材１２と、一対の支点支持部材１２を連結する中間リベット１３及び支点リベット１４と、支点リベット１４に対して回動可能に取り付けられた梃子部材１５とを備えている。
【００２８】
スプリング１１は、引っ張りコイルばねであり、その両端部はＵ字型に湾曲させられて、先端側フック部１１Ａと基端側フック部１１Ｂとなっている。スプリング１１の先端側フック部１１Ａは、基端側連結ピン１３に対して、またスプリング１１の基端側フック部１１Ｂは、後述する梃子部材１５の力点穴１５Ｄに対して、それぞれ、取り付けられている。
【００２９】
スプリング１１の先端側フック部１１Ａは、リテーナ４の上面４Ａとほぼ直交する方向に向けて形成されている。一方、基端側フック部１１Ｂは、リテーナ４の上面４Ａとほぼ平行に配置されるように形成されている。これにより、スプリング１１の基端側フック部１１Ｂを、梃子部材１５に対して横向きに取り付けることができるので、結果として、スプリング１１を、リテーナ４の上面４Ａに近い位置で、リテーナ４の上面４Ａとほぼ平行に配置できるようになっている。
【００３０】
一対の支点支持部材１２は、スプリング１１とほぼ同じ長さを有する細長い板部材であり、スプリング１１の両側に、スプリング１１と並行して配置されている。支点支持部材１２の先端部１２Ａには、中間リベット１３が装着される先端側装着穴１２Ｃが形成されている。また、支点支持部材１２の基端部１２Ｂには、支点リベット１４が装着される基端側装着穴１２Ｄが形成されている。
【００３１】
中間リベット１３は、両側の支点支持部材１２の先端側装着穴１２Ｃを貫通して配置され、先端側装着穴１２Ｃに対して固定されることにより、両側の支点支持部材１２の先端部１２Ａ同士を連結している。更に、中間リベット１３の両端部は、それぞれ、リテーナ４の両側側面４Ｂのリベット穴４Ｆに固定される。これにより、付勢機構１０は、中間リベット１３を介して、リテーナ４に対して固定されるようになっている。
【００３２】
一方、支点リベット１４は、支点支持部材１３の基端側装着穴１２Ｄを貫通して配置され、基端側装着穴１２Ｄに対して固定されている。これにより、両側の支点支持部材１２の基端部１２Ｂ同士は、支点リベット１４により連結されている。このような構成により、後述するように、支点リベット１４が梃子部材１５の回転中心となって梃子の支点となったときに、支点リベット１４に作用する荷重は、支点支持部材１２により確実に支持されるようになっている。
【００３３】
梃子部材１５は、梃子の原理に基づいて、スプリング１１のバネ力を倍力して伝達するカムであり、中央部１５Ａと、中央部１５Ａから両側に延び出す力点側腕部１５Ｂ及び作用点腕部１５Ｃとを備えている。力点側腕部１５Ｂの長さは、梃子の原理による増力が得られるように、所定の割合で、作用点側腕部１５Ｃよりも長くなっている。
【００３４】
梃子部材１５の中央部１５Ａには、支点穴１５Ｄが形成されており、この支点穴１５Ｄに、支点リベット１４が非固定状態で挿通されている。これにより、梃子部材１５は、支点リベット１４に対して取り付けられ、支持リベット１４の軸回りで回動可能となっている。
【００３５】
一方、力点側腕部１５Ｂの先端付近には、力点穴１５Ｅが形成されており、この力点穴１５Ｅには、スプリング１１の基端側フック部１１Ｂが装着されている。また、作用点側腕部１５Ｃの先端付近には、作用点穴１５Ｆが形成されており、この作用点穴１５Ｆには、ローラーピン１６が回動可能に挿通されている。このローラーピン１６は、アームヘッド２のローラーピン穴２Ｆ（図８参照）に対しても回動可能に取り付けられている。この結果、梃子部材１５は、ローラーピン１６を介して、アームヘッド２に対して回動可能に連係されている。
【００３６】
梃子部材１５は、スプリング１１のバネ力を倍力して伝達する梃子として機能する。具体的には、梃子部材１５の支点穴１５Ｄの部分は、梃子の支点として、また力点穴１５Ｅの部分は、スプリング１１の力が加えられる梃子の力点として、また作用点穴１５Ｆの部分は、スプリング１１の力が倍力されて作用する作用点として、それぞれ機能する。すなわち、支点穴１５Ｄの中心から作用点穴１５Ｆの中心までの距離をＬ１とし、支点穴１５Ｄの中心から力点穴１５Ｅの中心までの距離をＬ２とすると（図５参照）、梃子部材１５の力点に加わったスプリング１１のバネ力は、Ｌ２／Ｌ１倍に増幅されて、梃子部材１５の支点穴１５Ｆ側に伝達される。また、同時に、スプリング１１のバネ力の方向も、梃子部材１５により変換されることになる。
【００３７】
次に、ワイパーアーム１の全体の作用について説明する。
図１、図２及び図５に示すような通常使用状態において、付勢機構１０は、アーム本体を、アームヘッド２に対して図の反時計回り回転方向に付勢するように作用する。詳しく説明すると、付勢機構１０のスプリング１１の収縮しようとするバネ力は、付勢機構１０の梃子部材１５を、支点リベット１４の回りで、図の時計回り回転方向に回動させるように作用する。これにより、梃子部材１５の作用点側腕部１５Ｃは、アームヘッド２をワイパーアーム１の長手方向の基端側に押し、この結果、アーム本体（リテーナ４及びアームピース５）は、アームヘッド２に対する図の反時計回り回転方向へ向けた力を受ける。したがって、アームピース５の先端に保持されたワイパーブレード（図示せず）は、付勢機構１０から加えられた適度な押し付け力で、被払拭面（図示せず）に対して押し付けられることとなる。
【００３８】
この場合、スプリング１１のバネ力は、梃子の原理に基づく梃子部材１５の作用により、Ｌ２／Ｌ１倍に増幅されて作用する。ここで、Ｌ１は、梃子部材１５における支点穴１５Ｄから作用点穴１５Ｆの長さであり、Ｌ２は、支点穴１５Ｄから力点穴１５Ｅの長さである（図５参照）。したがって、小型（小径）でバネ力の小さなスプリング１１を用いたとしても、十分な押し付け荷重を得ることができる。
【００３９】
一方、図２、図３及び図６に示すようなロックバック状態において、付勢機構１０は、アーム本体がアームピース２に対して起立した状態に保持するように機能する。詳しく説明すると、スプリング１１の収縮しようとするバネ力が、梃子部材１５を図の時計回り回転方向に回動させようと作用すると、梃子部材の作用点側腕部１５Ｃは、アームヘッド２の先端部２Ｅに対して、下方に押し下げる方向に力を与えることになり、結果として、スプリング１１のバネ力は、アーム本体（リテーナ４）を、アームヘッド２に対して図の時計回り回転方向に付勢することになる。したがって、アーム本体は、スプリング１１のバネ力により、起立状態に保持され、ワイパーアーム１のロックバック状態が維持されるようになっている。この場合にも、スプリング１１のバネ力は、梃子部材１５の作用により、Ｌ２／Ｌ１倍に増幅されて作用するので、小型のスプリング１１でも、十分な保持力を得ることができる。
【００４０】
以上のように、本実施形態のワイパーアーム１によれば、スプリング１１のバネ力は、梃子部材１５により倍力されて作用するので、小型のスプリングでも、十分な押し付け力を得ることができる。したがって、スプリング１１の小型化（小径化）が可能となり、スプリング１１の収納スペースの削減によるワイパーアーム１の小型化（薄型化）を図り得る。
【００４１】
また、スプリング１１の基端側フック部１１Ｂを、リテーナ４の上面４Ａに平行な向きに配置されるように形成することにより、スプリング１１の基端側フック部１１Ｂを、梃子部材１５に対して横向きに取り付けることができ、結果として、スプリング１１を、リテーナ４の上面４Ａに近い位置で、リテーナ４の上面４Ａとほぼ平行に配置できる。したがって、ワイパーアーム１の更なる薄型化が可能となる。
【００４２】
また、スプリング１１は、梃子部材１５を介してワイパーアーム２と連係するようになっているので、従来のワイパーアームのようなフック部材（図１０のフック部材１０７参照）も不要となる。したがって、付勢機構１０は、薄型のリテーナ４の上面４Ａと両側側面４Ｂとで囲まれる空間内に完全に収納でき、リテーナ１の下側からはみ出す部材をなくすることができるので、ワイパーアーム１の薄型化及び美観の向上を達成できる。
【００４３】
また、付勢機構１０から加えられる力は、スプリング１１のバネ力、梃子部材１５の形状（支点穴１５Ｄから力点穴１５Ｅの長さＬ１及び支点穴１５Ｄから作用点穴１５Ｆへの長さＬ２）、支点支持部材１２の長さ、中間リベット１３及びローラーピン１６の取り付け位置等から計算できるので、押し付け力を精密に管理できる。
【００４４】
また、付勢機構１０は、１つのユニットとして構成され、堅固な構造を有しているので、梃子部材１５の支点は支点支持部材１２により確実に支持され、梃子部材１５による適切な倍力及び力の伝達を確保できる。また、ユニットとしての付勢機構１０は、リテーナ４及びアームヘッド２に対して容易に取り付けることができるので、ワイパーアーム１の組み立て作業を容易化できる。
【００４５】
また、付勢機構１０における梃子部材１５の形状には変更の自由度があるので、梃子部材１５からリテーナ４に作用する力のモーメントが最大化されるように、梃子部材１５の形状を調整することができる。すなわち、図５に示すように、ピボット軸穴２Ｅ（ピボット軸３）の中心から作用点穴１５Ｆ（ローラピン１６）の中心に至る線分（モーメントの腕Ｌ３）に対して、作用点穴１５Ｆ（ローラピン１６）に作用する付勢力Ｗの方向が直交するように、梃子部材１５の形状を調整することにより、梃子部材１５から及ぼされる力のモーメントを最大化することができる。したがって、付勢機構１０からの力を、効率的に押し付け力として用いることができる。
【００４６】
図９には、本発明の第２の実施形態のワイパーアーム６を示す。
図示されるように、本実施形態のワイパーアーム６は、上記第１の実施形態のワイパーアーム１と比較して、付勢機構１０の代わりに、付勢機構２０を備えている点でのみ異なるものである。したがって、ワイパーアーム１と共通する部材は、同一の符号で示し、説明は省略する。
【００４７】
図示されるように、付勢機構２０は、付勢機構１０と比較して、梃子部材２５がスプリング２１の先端側、すなわちアームヘッド２と反対側に配置されている点で異なっている。詳しく説明すると、付勢機構２０は、引っ張りコイルばねであるスプリング２１と、スプリング２１の両側に配置された支点支持部材２２とを備えている。支点支持部材２２の先端部２２Ａ側は支点リベット２３で、基端部２２Ｂ側は基端側リベット２４で、それぞれ連結されている。
【００４８】
基端側リベット２４は、アームヘッド２の先端部２Ｅに固定されている。また、基端リベット２４に対しては、スプリング２１の基端部２１Ｂが装着された保持部材２７が、回動可能に取り付けられている。
【００４９】
支点リベット２３には、梃子部材２５が回動可能に取り付けられている。梃子部材２５は、中央部２５Ａと、中央部の両側に延びる力点側腕部２５Ｂ及び作用点側腕部２５Ｃとを備えている。支点リベット２３は、中央部２５Ａに形成された支点穴２５Ｄに挿通されており、これにより、梃子部材２５は、支点リベット２３に対して回動可能に取り付けられている。
【００５０】
梃子部材２５の力点穴２５Ｅには、スプリング２１の先端側フック部２１Ａが取り付けられている。一方、梃子部材２５の作用点穴２５Ｆには、ローラーピン２６が回動可能に装着されている。ローラーピン２６は、リテーナ４の両側側面４Ｂに取り付けられている。
【００５１】
このように、梃子部材２５をアームヘッド２と反対側に配置する構成によっても、スプリング２１のバネ力は、梃子部材２５により、梃子の原理にしたがった割合で倍力されて伝達される。したがって、本実施形態のワイパーアーム６によっても、上記第１の実施形態のワイパーアーム１と同様の作用効果を得ることができる。
【符号の説明】
【００５２】
１  ワイパーアーム
２  アームヘッド
３  ピボット軸
４  リテーナ
４Ａ  リテーナの上面
４Ａ  リテーナの側面
４Ｃ  ピボット軸穴
４Ｄ  リベット穴
５  アームピース
６  ワイパーアーム
１０  付勢機構
１１  スプリング
１２  支点支持部材
１３  中間リベット
１４  支点リベット
１５  梃子部材
１５Ａ  梃子部材の中央部
１５Ｂ  梃子部材の力点側腕部
１５Ｃ  梃子部材の作用点側腕部
１５Ｄ  梃子部材の支点穴
１５Ｅ  梃子部材の力点穴
１５Ｆ  梃子部材の作用点穴
１６  ローラーピン
２０  付勢機構
２１  スプリング
２２  支点支持部材
２３  支点リベット
２４  基端側リベット
２５  梃子部材
２５Ａ  梃子部材の中央部
２５Ｂ  梃子部材の力点側腕部
２５Ｃ  梃子部材の作用点側腕部
２５Ｄ  梃子部材の支点穴
２５Ｅ  梃子部材の力点穴
２５Ｆ  梃子部材の作用点穴
２６  ローラーピン
２７  保持部材
【要約】
【課題】  ワイパーブレードを被払拭面に押し付ける押し付け力を発生させるための付勢手段を備えたワイパーアームにおいて、スプリングを小型化でき、薄型化及び美観向上を図り得るワイパーアームを提供する。
【解決手段】  アームヘッド２とリテーナ３の間に付勢機構１０を備えたワイパーアーム１において、付勢機構１０に、スプリング１１と、スプリング１１の両側に配置された一対の支点支持部材１２と、一対の支点支持部材１２の先端部１２Ａ同士を連結するとともにリテーナ４に固定された中間リベット１３と、支点支持部材１２の基端部１２Ｂ同士を連結する支点リベット１４と、支点穴１５Ｄにおいて支点リベット１４に回動可能に取り付けられた梃子部材１５とを備えた。梃子部材１５の力点穴１５Ｅには、スプリング１１の基端側フック部１１Ｂが係止され、梃子部材１５の作用点穴１５Ｆは、ローラーピン１１を介してアームヘッド２に取り付けられる。
【選択図】      図５【図１】
0005460837.tif 000002
【図２】
0005460837.tif 000003
【図３】
0005460837.tif 000004
【図４】
0005460837.tif 000005
【図５】
0005460837.tif 000006
【図６】
0005460837.tif 000007
【図７】
0005460837.tif 000008
【図８】
0005460837.tif 000009
【図９】
0005460837.tif 000010
【図１０】
0005460837.tif 000011